(57)【要約】【課題】  ユーザが指定した部品を含んで完成されたコンピュータ製品のアフターサービスに必要なソフトウェアを容易に取得することができる。【解決手段】  サーバシステム１０は、ユーザからオンサイト保守の依頼と共に保守対象製品のシリアル番号を取得したとき、そのシリアル番号に対応する部品特定情報を注文ＤＢ３９ａから取得し、該取得した部品特定情報に応じたソフトウェア類をソフトＤＢ３９ｂからサービス拠点端末６０のフラッシュメモリ６２に転送する。したがって、サービスエンジニアは、そのパソコンのオンサイト保守に必要なソフトウェアが格納されたフラッシュメモリ６２を容易に取得でき、そのフラッシュメモリ６２を携行してオンサイト保守に向かうことができる。【選択図】        図１
2005267401.tif 000002
【特許請求の範囲】
【請求項１】
ユーザが指定した部品を含んで完成されたコンピュータ製品のアフターサービスを支援するアフターサービス支援システムであって、
前記ユーザが指定した部品を特定する部品特定情報と各部品特定情報を呼び出すための呼出情報とを対応づけて記憶した部品特定情報記憶手段と、
前記部品特定情報と各部品のアフターサービスに必要なソフトウェア類とを対応づけて記憶したソフトウェア類記憶手段と、
ユーザからアフターサービスの要求と共に前記呼出情報を取得したとき、該呼出情報に対応する部品特定情報を前記部品特定情報記憶手段から取得する部品特定情報取得手段と、
前記部品特定情報取得手段によって取得された部品特定情報に応じたソフトウェア類を前記ソフトウェア類記憶手段から所定のメモリデバイスに転送するソフトウェア転送手段と、
を備えたアフターサービス支援システム。
【請求項２】
前記所定のメモリデバイスは、ブート可能なメモリデバイスである、請求項１に記載のアフターサービス支援システム。
【請求項３】
前記ソフトウェア類記憶手段は、各部品を検査するための検査ツールを記憶している、請求項１又は２に記載のアフターサービス支援システム。
【請求項４】
前記ソフトウェア類記憶手段は、出荷時状態に戻すためのソフトウェアを記憶している、請求項１〜３のいずれかに記載のアフターサービス支援システム。
【請求項５】
前記ソフトウェア類記憶手段は、最新バージョンのソフトウェアを記憶している、請求項１〜４のいずれかに記載のアフターサービス支援システム。
【請求項６】
請求項１〜５のいずれかに記載のアフターサービス支援システムであって、
前記ユーザによる製品発注時に前記ユーザが指定した部品を特定する部品特定情報と部品特定情報を呼び出すための呼出情報とを対応づけて前記部品特定情報記憶手段に記憶する部品特定情報記憶制御手段、
を備えたアフターサービス支援システム。
【請求項７】
コンピュータ製品を構成する複数の部品につきユーザが指定した部品を特定する部品特定情報と各部品特定情報を呼び出すための呼出情報とを対応づけて記憶した部品特定情報記憶手段と、前記部品特定情報と各部品のアフターサービスに必要なソフトウェア類とを対応づけて記憶したソフトウェア類記憶手段と、を利用して、前記コンピュータ製品のアフターサービスを支援する、コンピュータソフトウェアによるアフターサービス支援方法であって、
コンピュータは、ユーザからアフターサービスの要求と共に前記呼出情報を取得したとき、該呼出情報に対応する部品特定情報を前記部品特定情報記憶手段から取得し、該取得した部品特定情報に応じたソフトウェア類を前記ソフトウェア類記憶手段から所定のメモリデバイスに転送するステップ、
を含むアフターサービス支援方法。
【請求項８】
請求項７に記載のアフターサービス支援方法の前記ステップをコンピュータに実行させるためのコンピュータプログラム。
【発明の詳細な説明】
【技術分野】
【０００１】
本発明は、アフターサービス支援システム、その方法及びそのプログラムに関し、詳しくは、ユーザが指定した部品を含んで完成されたコンピュータ製品のアフターサービスを支援するアフターサービス支援システム、その方法及びそのプログラムに関する。
【背景技術】
【０００２】
近年、ユーザがオンラインでコンピュータ製品を注文することができるウェブサイトが種々知られている。例えば特許文献１には、ウェブサイトにおいて、ＣＰＵ、メモリ、ＨＤＤをはじめ各種部品を自由に選択できるＢＴＯ（build to order）と称するサービスを提供し、ユーザの希望する部品で構成されたパーソナルコンピュータ（以下パソコンという）を注文できるようにしたものが開示されている。
【特許文献１】特開２００３−２９６５５０号公報
【発明の開示】
【発明が解決しようとする課題】
【０００３】
しかしながら、このようなパソコンについてオンサイト保守（製品の設置された現場にサービスエンジニアが赴いて行う保守）を行う場合には、そのパソコンがどのような部品で構成されているのか不明なため、そのパソコンに含まれる可能性のあるすべての部品のアフターサービスに必要なソフトウェア類を準備して現場に向かう必要があった。
【０００４】
本発明は、このような課題に鑑みなされたものであり、ユーザが指定した部品を含んで完成されたコンピュータ製品のアフターサービスに必要なソフトウェアを容易に取得することができるアフターサービス支援システム、その方法及びそのプログラムを提供することを目的とする。
【課題を解決するための手段】
【０００５】
本発明は、上述の目的の少なくとも一つを達成するために以下の手段を採った。
【０００６】
本発明は、ユーザが指定した部品を含んで完成されたコンピュータ製品のアフターサービスを支援するアフターサービス支援システムであって、
前記ユーザが指定した部品を特定する部品特定情報と各部品特定情報を呼び出すための呼出情報とを対応づけて記憶した部品特定情報記憶手段と、
前記部品特定情報と各部品のアフターサービスに必要なソフトウェア類とを対応づけて記憶したソフトウェア類記憶手段と、
ユーザからアフターサービスの要求と共に前記呼出情報を取得したとき、該呼出情報に対応する部品特定情報を前記部品特定情報記憶手段から取得する部品特定情報取得手段と、
前記部品特定情報取得手段によって取得された部品特定情報に応じたソフトウェア類を前記ソフトウェア類記憶手段から所定のメモリデバイスに転送するソフトウェア転送手段と、
を備えたものである。
【０００７】
このアフターサービス支援システムでは、ユーザからアフターサービスの要求と共に呼出情報を取得したとき、その呼出情報に対応する部品特定情報を部品特定情報記憶手段から取得し、該取得した部品特定情報に応じたソフトウェア類をソフトウェア類記憶手段から所定のメモリデバイスに転送する。つまり、ユーザが指定した部品を含んで完成されたコンピュータ製品のアフターサービスを行う場合、そのコンピュータ製品に含まれる部品を特定する部品特定情報に応じたソフトウェア類が所定のメモリデバイスに格納される。したがって、サービスエンジニアは、そのコンピュータ製品のアフターサービスに必要なソフトウェアが格納されたメモリデバイスを容易に取得でき、そのメモリデバイスを携行してアフターサービスに向かうことができる。
【０００８】
本発明のアフターサービス支援システムにおいて、前記所定のメモリデバイスは、ブート可能なメモリデバイスとしてもよい。こうすれば、アフターサービスの対象となるコンピュータ製品が自ら起動できない状態であっても、このメモリデバイスをそのコンピュータ製品に接続することにより起動することができ、必要なソフトウェアを立ち上げることができる。
【０００９】
本発明のアフターサービス支援システムにおいて、前記ソフトウェア類記憶手段は、各部品を検査するための検査ツールを記憶していてもよい。部品検査用の検査ツール（検査ソフト）は部品ごとに異なったり部品の製造メーカごとに異なったりするため多種類存在するため、アフターサービスの対象となるコンピュータ製品に適した検査ツールをメモリデバイスに転送する。
【００１０】
本発明のアフターサービス支援システムにおいて、前記ソフトウェア類記憶手段は、出荷時状態に戻すためのソフトウェアを記憶していてもよい。こうすれば、アフターサービスの際にユーザから出荷時状態に戻してほしいという要望があったときに容易に対処することができる。
【００１１】
本発明のアフターサービス支援システムにおいて、前記ソフトウェア類記憶手段は、最新バージョンのソフトウェアを記憶していてもよい。こうすれば、アフターサービスの際に最新バージョンのソフトウェアをインストールすることができるため、後日ユーザがバージョンアップの作業を行う手間がかからない。
【００１２】
本発明のアフターサービス支援システムは、前記ユーザによる製品発注時に前記ユーザが指定した部品を特定する部品特定情報と部品特定情報を呼び出すための呼出情報とを対応づけて前記部品特定情報記憶手段に記憶する部品特定情報記憶制御手段、を備えていてもよい。製品発注時にユーザが部品を特定してコンピュータ製品を完成させることが多いため、その製品発注時に部品特定情報と呼出情報とを対応づけて部品特定情報記憶手段に記憶するのが好ましい。
【００１３】
本発明は、コンピュータ製品を構成する複数の部品につきユーザが指定した部品を特定する部品特定情報と各部品特定情報を呼び出すための呼出情報とを対応づけて記憶した部品特定情報記憶手段と、前記部品特定情報と各部品のアフターサービスに必要なソフトウェア類とを対応づけて記憶したソフトウェア類記憶手段と、を利用して、前記コンピュータ製品のアフターサービスを支援する、コンピュータソフトウェアによるアフターサービス支援方法であって、
ユーザからアフターサービスの要求と共に前記呼出情報を取得したとき、該呼出情報に対応する部品特定情報を前記部品特定情報記憶手段から取得し、該取得した部品特定情報に応じたソフトウェア類を前記ソフトウェア類記憶手段から所定のメモリデバイスに転送するステップ、を含むものとしてもよい。
【００１４】
このアフターサービス支援方法では、ユーザが指定した部品を含んで完成されたコンピュータ製品のアフターサービスを行う場合、そのコンピュータ製品に含まれる部品を特定する部品特定情報に応じたソフトウェア類を所定のメモリデバイスに格納する。したがって、サービスエンジニアは、そのコンピュータ製品のアフターサービスに必要なソフトウェアが格納されたメモリデバイスを容易に取得でき、そのメモリデバイスを携行してアフターサービスに向かうことができる。
【００１５】
本発明のアフターサービス支援方法において、前記所定のメモリデバイスは、ブート可能なメモリデバイスとしてもよい。また、前記ソフトウェア類記憶手段は、各部品を検査するための検査ツールを記憶していてもよいし、出荷時状態に戻すためのソフトウェアを記憶していてもよいし、最新バージョンのソフトウェアを記憶していてもよい。本発明のアフターサービス支援方法は、更に、前記ユーザによる製品発注時に前記ユーザが指定した部品を特定する部品特定情報と部品特定情報を呼び出すための呼出情報とを対応づけて前記部品特定情報記憶手段に記憶するステップを含むものとしてもよい。
。
【００１６】
本発明は、上述したアフターサービス支援方法のステップをコンピュータに実行させるためのコンピュータプログラムとしてもよい。このプログラムは、１台のコンピュータに実行させてもよいし複数台のコンピュータに分担して実行させてもよい。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムをコンピュータに実行させれば、ユーザが指定した部品を含んで完成されたコンピュータ製品に含まれる部品を特定する部品特定情報に応じたソフトウェア類を所定のメモリデバイスに格納する。したがって、サービスエンジニアは、そのコンピュータ製品のアフターサービスを行う際に適したソフトウェアが格納されたメモリデバイスを容易に取得でき、そのメモリデバイスを携行してアフターサービスに向かうことができる。
【発明を実施するための最良の形態】
【００１７】
次に、本発明の実施の形態を図面に基づいて説明する。図１は、本発明の一実施形態であるサーバシステムの構成の概略を示す構成図である。本実施形態のサーバシステム１０は、図１に示すように、パソコンを販売するウェブサイトを提供するウェブサーバ２０と、このウェブサーバ２０にＬＡＮ４２で接続され種々の情報を管理する情報管理サーバ３０とを備えている。
【００１８】
ウェブサーバ２０は、種々の演算処理や制御を実行するＣＰＵ２２、文書データやプログラムデータなどの各種データを記憶するメモリ２４、同じく各種データを記憶するＨＤＤ２６及びネットワークに接続するためのネットワークボード２８などを搭載したウェブサーバ機能を有するサーバマシンであり、図示しないが無停電電源装置やデータストレージ装置を備えている。このウェブサーバ２０は、ユーザがユーザコンピュータ５０を利用してインターネット４０を介してパソコンをオンラインで購入するにあたり、ＣＰＵの種類、メモリのメーカーと容量、ハードディスク装置のメーカーと容量、ＯＳの種類、アプリケーションソフトの種類などの部品の種類を複数種類の中から任意に指定して注文できるＢＴＯ（Build To Order）販売方式のウェブサイトを提供する。また、ウェブサーバ２０は、ＢＴＯ販売方式で注文情報を受け付けると、注文情報毎に固有のシリアル番号（呼出情報）を付与してＬＡＮ４２を介して情報管理サーバ３０に送信する。注文情報には、パソコンについてユーザが指定したＣＰＵの種類、メモリのメーカーや容量、ハードディスク装置のメーカーと容量、ＯＳの種類、アプリケーションソフトの種類などの部品特定情報（コンフィグ情報ともいう）が含まれるほか、ユーザの氏名、住所、電話番号、電子メールアドレス等の個人特定情報や、料金の支払い方法に関する情報などが含まれる。
【００１９】
情報管理サーバ３０は、種々の演算処理や制御を実行するＣＰＵ３２、文書データやプログラムデータなどの各種データを記憶するメモリ３４、同じく各種データを記憶するＨＤＤ３６及びネットワークに接続するためのネットワークボード３８などを搭載したサーバマシンであり、図示しないが無停電電源装置を備えている。この情報管理サーバ３０は、ウェブサーバ２０からシリアル番号とそのシリアル番号に関連づけられた注文情報とを受信すると、それらを通信線を介して接続された情報管理記憶装置３９の注文ＤＢ３９ａに格納すると共に、今回受信した注文情報に基づいてパソコンの組立を製品組立工場に指示したり組立日程の管理をしたりする。また、情報管理サーバ３０は、ユーザコンピュータ５０から製品進捗情報の問い合わせがウェブサーバ２０を経由してなされたとき、管理している組立日程に基づいて現在どの組立工程にあるのかをウェブサーバ２０を経由してユーザコンピュータ５０に送信する機能も有する。更に、情報管理サーバ３０は、製品組立工場でパソコンが完成され出荷された後も、注文ＤＢ３９ａからそのシリアル番号と注文情報とを削除せずそのまま残す。
【００２０】
情報管理記憶装置３９は、注文情報ごとに付与されたシリアル番号と、そのシリアル番号に関連づけられた注文情報（部品特定情報、個人特定情報など）とを対応づけてデータベース化した注文ＤＢ３９ａを記憶している。このため、シリアル番号に基づいて注文ＤＢ３９ａを検索すれば、そのシリアル番号に対応する注文情報を抽出することができる。図２に注文ＤＢ３９ａの一例を示す。また、情報管理記憶装置３９は、パソコンを完成させるうえで指定可能な複数の部品と、各部品ごとに必要となるソフトウェアとを対応づけてデータベース化したソフトＤＢ３９ｂも記憶している。このため、部品に基づいてソフトＤＢ３９ｂを検索すれば、その部品に必要なソフトウェアを抽出することができる。図３にソフトＤＢ３９ｂの一例を示す。この図３に示すように、ＨＤＤやメモリはメーカーごとに異なる検査ツールが対応づけられている。このソフトＤＢ３９ｂには、各ソフトウェア名に対応してプログラム自体も記憶されている。
【００２１】
ユーザコンピュータ５０は、周知のパーソナルコンピュータであり、インターネット４０を介してウェブサーバ２０が開設するＢＴＯ販売方式のウェブサイトに接続し、パソコンをオンラインで購入するにあたり部品の種類を複数種類の中から任意に指定して注文することができる。また、ユーザコンピュータ５０は、ウェブサーバ２０に対して、注文後に製品の進捗状況の問い合わせを行ったり、購入後に製品のアフターサービスの一種であるオンサイト保守の依頼を行ったりする。
【００２２】
サービス拠点端末６０は、ウェブサーバ２０が開設するウェブサイトで販売されたパソコンのオンサイト保守を行うためのサービス拠点ごとに設置されたコンピュータであり、図示しないＵＳＢ端子にフラッシュメモリ６２が着脱自在に接続されている。このサービス拠点端末６０は、ユーザコンピュータ５０からのオンサイト保守の依頼をウェブサーバ２０を経由して受けるものである。
【００２３】
次に、ＢＴＯ販売方式のウェブサイトでユーザがパソコンを注文する際のサーバシステム１０及びユーザコンピュータ５０の動作について説明する。ユーザの操作によりユーザコンピュータ５０がＢＴＯ販売方式のウェブサイトにアクセスすると、ウェブサーバ２０は、パソコンを購入する際に必要な事項をユーザに入力させるための入力画面をユーザコンピュータ５０に送信する。この入力画面の一例を図４に示す。図示するように、画面上には、「ＯＳ」や「ＣＰＵ」「メモリ」「ＨＤＤ」等の部品の指定が必須の必須項目についてプルダウンメニューを用いて指定するための「本体必須仕様」の欄と、「ディスプレイ」や「アプリケーション」等の部品の指定が任意の任意項目についてプルダウンメニューを用いて指定するための「オプション＆サービス」の欄とが設けられている。各欄においてプルダウンメニューにより部品が指定されると、その指定された部品の価格が「小計」の欄と「消費税」の欄と「合計」の欄とに反映される。また、「数量」の欄にはデフォルト値として「１」が設定されているが、２台以上の購入を希望する際にはその台数を入力する。各項目の入力後に「次へ」ボタンをクリックすると、代金の支払い方法を指定するための入力画面（図示せず）に進む。代金の支払い方法が指定されると、さらに、ユーザの氏名や住所等の個人データを入力するための入力画面（図示せず）に進む。各情報の入力を完了させて注文ボタンをクリックすると、インターネット４０を経由してユーザにより入力された注文情報がユーザコンピュータ５０からウェブサーバ２０に送信される。ウェブサーバ２０は、注文情報を受信すると、その注文情報にシリアル番号を付与して、情報管理サーバ３０にＬＡＮ４２を通じて出力する。情報管理サーバ３０は、注文情報を入力すると、この注文情報を付与されたシリアル番号に関連付けて情報管理記憶装置３９の注文ＤＢ３９ａ（図２参照）に登録する。また、情報管理サーバ３０は、注文情報に基づいてコンピュータの組み立てを行なうよう組立工場に指示を出し、組立工場にて指示に応じた部品をピックアップして組み立て作業を行なうことにより商品としてのパソコンが完成する。
【００２４】
次に、ユーザが購入後のパソコンのオンサイト保守を依頼する際のサーバシステム１０、ユーザコンピュータ５０及びサービス拠点端末６０の動作について説明する。ユーザは、購入後のパソコンに不具合が発生したとき、ユーザコンピュータ５０を操作してオンサイト保守の依頼要求をそのパソコンに固有のシリアル番号を入力したうえでウェブサーバ２０に対して行う。すると、ウェブサーバ２０は、今回のシリアル番号に対応する個人特定情報を情報管理サーバ３０へ要求する。情報管理サーバ３０は、そのシリアル番号に基づいて注文ＤＢ３９ａを検索しそのシリアル番号に対応する個人特定情報を抽出し、その抽出結果をウェブサーバ２０へ回答する。ウェブサーバ２０は、その個人特定情報からユーザの住所を読み出し、その住所に最寄りのサービス拠点を図示しないサービス拠点ＤＢ（サービス拠点とその住所とが関連づけられたデータベース）から抽出し、そのサービス拠点に設置されているサービス拠点端末６０にインターネット４０を介してオンサイト保守を命ずる。このとき、ウェブサーバ２０からサービス拠点端末６０へユーザから受信したシリアル番号も送信する。すると、そのサービス拠点６４に待機しているサービスエンジニアは、サービス拠点端末６０を操作してサービス拠点端末６０をインターネット４０を介してウェブサーバ２０に接続し、照合用データを入力する。この照合用データは、予めサービス拠点端末６０ごとに認証のために配布されたサービス拠点名とパスワードからなり、ウェブサーバ２０のＨＤＤ２６に格納されている。
【００２５】
これ以降のウェブサーバ２０の処理につき、図５のフローチャートに基づいて説明する。ウェブサーバ２０は、サービス拠点端末６０から照合用データを取得し（ステップＳ１１０）、その照合用データがＨＤＤ２６に格納されている照合用データと一致するか否かによって適正か不適正かを判定する（ステップＳ１２０）。その照合用データが不適正なときには、サービス拠点端末６０にエラーメッセージを表示し（ステップＳ１５０）、このプログラムを終了する。一方、その照合用データが適正なときには、サービス拠点端末６０からシリアル番号が入力されるのを待って（ステップＳ１３０）、その入力されたシリアル番号に対応するパソコンを構成する各部品に関連づけられたソフトウェア類を、サービス拠点端末６０のＵＳＢ端子に接続されたフラッシュメモリ６２に転送し（ステップＳ１４０）、このプログラムを終了する。ここで、ステップＳ１４０を詳細に説明すると、ウェブサーバ２０は、シリアル番号に対応するパソコンを構成する各部品に関連づけられたソフトウェア類を情報管理サーバ３０に要求する。すると、情報管理サーバ３０は、そのシリアル番号に基づいて情報管理記憶装置３９の注文ＤＢ３９ａを検索し、抽出された部品特定情報に基づいてソフトＤＢ３９ｂを検索し、抽出されたソフトウェア類をウェブサーバ２０を経由してサービス拠点端末６０のフラッシュメモリ６２に転送する。このとき、抽出されたソフトウェア類には、例えば今回のパソコンに組み込まれたＨＤＤのメーカーに対応したＨＤＤ検査ツールや、メモリのメーカーに対応したメモリ検査ツールのほか、今回のパソコンにインストールされたＯＳ及びアプリケーションソフトについてそのパソコンの出荷時におけるバージョンのＯＳ及びアプリケーションソフトや、最新のバージョンに変更するためのバージョンアップ後のソフトなどが含まれる。なお、ソフトウェア類をフラッシュメモリ６２に転送するには、ウェブサーバ２０がソフトウェア類をフラッシュメモリ６２にコピーしてもよいし、サービス拠点端末６０からのダウンロードの要求に応じてソフトウェア類をフラッシュメモリ６２に転送してもよい。
【００２６】
さて、サービスエンジニアは、今回オンサイト保守を依頼してきたユーザに予め電話、ＦＡＸ又はメールで連絡して故障状況を聞き出したあと、故障箇所を推定し、必要となりそうなハードウェア（例えば各種ボードや部品ユニットなど）をフラッシュメモリ６２と共に現場に携行する。そして、サービスエンジニアは、現場に着いた後、保守対象のパソコンのＵＳＢ端子にフラッシュメモリ６２を差し込み、各種検査ツールを実行させて故障箇所を特定する。このとき、パソコンが自ら起動できない状態であったとしても、フラッシュメモリ６２はブート可能であるからこのフラッシュメモリ６２から起動することができる。そして、故障箇所のハードウェアを交換した後、ユーザが出荷時の状態に戻してほしいと要望したときには出荷時のアプリケーションソフトを再インストールして出荷時の状態に戻し、また、ユーザが最新のバージョンに変更してほしいと要望したときには最新バージョンに変更するためのアプリケーションソフトをインストールする。
【００２７】
ここで、本実施形態の構成要素と本発明の構成要素との対応関係を明らかにする。本実施形態のサーバシステム１０が本発明のアフターサービス支援システムに相当し、情報管理記憶装置３９の注文ＤＢ３９ａが部品特定情報記憶手段に相当し、シリアル番号が呼出情報に相当し、情報管理記憶装置３９のソフトＤＢ３９ｂがソフトウェア類記憶手段に相当し、ウェブサーバ２０及び情報管理サーバ３０が部品特定情報取得手段、部品特定情報記憶制御手段及びソフトウェア転送手段に相当し、フラッシュメモリ６２がメモリデバイスに相当する。なお、本実施形態では、サーバシステム１０の動作を説明することにより本発明のアフターサービス支援方法の一例も明らかにしている。
【００２８】
以上詳述した本実施形態のサーバシステム１０によれば、ユーザが指定した部品を含んで完成されたパソコンのアフターサービスを行う場合、そのパソコンに含まれる部品を特定する部品特定情報に応じたソフトウェア類をサービス拠点端末６０のフラッシュメモリ６２に転送するので、サービスエンジニアは、そのパソコンのオンサイト保守を行うのに必要なソフトウェアが格納されたフラッシュメモリ６２を容易に取得でき、そのフラッシュメモリ６２を携行してオンサイト保守に向かうことができる。
【００２９】
また、オンサイト保守の対象となるパソコンが自ら起動できない状態であっても、このフラッシュメモリ６２をその製品に接続することにより起動することができ、必要なソフトウェアを立ち上げることができる。
【００３０】
更に、ＨＤＤ検査ツールやメモリ検査ツールは、ＨＤＤやメモリの製造メーカーごとに異なることがあるが、オンサイト保守の対象となるパソコンのＨＤＤやメモリに適した検査ツールをフラッシュメモリ６２に転送するため、保守作業を適切に行うことができる。
【００３１】
更にまた、オンサイト保守の際にユーザから保守対象のパソコンを出荷時状態に戻してほしいという要望があったときでも、最新バージョンのソフトウェアをインストールしてほしいという要望があったときでも、適切に対処できる。特に後者の場合、後日ユーザがバージョンアップの作業を行う手間がかからないという利点がある。
【００３２】
そしてまた、ユーザがパソコンを発注する時に、ユーザが指定した部品を特定する部品特定情報と部品特定情報を呼び出すためのシリアル番号とを対応づけて注文ＤＢ３９ａに記憶するため、オンサイト保守の際に改めてユーザがパソコンに含まれる部品を特定する手間がかかることはない。
【００３３】
なお、本発明は上述した実施形態に何ら限定されることはなく、本発明の技術的範囲に属する限り種々の態様で実施し得ることはいうまでもない。
【００３４】
例えば、上述した実施形態では、サービス拠点端末６０はインターネット４０を介してウェブサーバ２０にアクセスするようにしたが、サービス拠点端末６０はＬＡＮ４２を介してウェブサーバ２０にアクセスするようにしてもよい。あるいは、サービス拠点端末６０はインターネット４０又はＬＡＮ４２を介して情報管理サーバ３０にアクセスしたり情報管理記憶装置３９にアクセスするようにしてもよい。あるいは、サービス拠点端末６０がインターネット４０を介してウェブサーバ２０、情報管理サーバ３０又は情報管理記憶装置３９にアクセスする場合、ＶＰＮ（ヴァーチャル・プライベイト・ネットワーク）を利用してもよい。
【００３５】
また、上述した実施形態では、メモリデバイスとしてブート可能なフラッシュメモリ６２を採用したが、特にフラッシュメモリである必要はなく、サービス拠点端末６０のＨＤＤなどであってもよいし、ブート可能でないものでもよい。
【００３６】
更に、上述した実施形態では、ユーザが指定した部品を含んで完成されたコンピュータ製品をパソコンとしたが、特にパソコンに限定されるものではなく、例えば、コンピュータを内蔵したＡＶ機器、洗濯機、冷蔵庫、エアコンなどの家電製品であっても構わない。
【図面の簡単な説明】
【００３７】
【図１】本実施形態のサーバシステムの構成の概略を示す構成図である。
【図２】情報管理記憶装置の注文ＤＢの内容を示す説明図である。
【図３】情報管理記憶装置のソフトＤＢの内容を示す説明図である。
【図４】ＢＴＯ販売方式の入力画面の一例を示す説明図である。
【図５】ウェブサーバ２０の動作を表すフローチャートである。
【符号の説明】
【００３８】
１０…サーバシステム、２０…ウェブサーバ、２２…ＣＰＵ、２４…メモリ、２６…ＨＤＤ、２８…ネットワークボード、３０…情報管理サーバ、３２…ＣＰＵ、３４…メモリ、３６…ＨＤＤ、３８…ネットワークボード、３９…情報管理記憶装置、３９ａ…注文ＤＢ、３９ｂ…ソフトＤＢ、４０…インターネット、４２…ＬＡＮ、５０…ユーザコンピュータ、６０…サービス拠点端末、６２…フラッシュメモリ、６４…サービス拠点。
【図１】
2005267401.tif 000003
【図２】
2005267401.tif 000004
【図３】
2005267401.tif 000005
【図４】
2005267401.tif 000006
【図５】
2005267401.tif 000007